(57)【要約】【課題】簡便にアクセスポイントの設置場所を決定することができる無線ＬＡＮ通信装置及び電波強度表示方法を提供する。【解決手段】本発明の無線ＬＡＮ通信装置１００は、他の無線ＬＡＮ通信装置が発信する信号を受信し、受信した信号の電波強度を測定した第１電波強度情報を生成する信号処理部１２０と、第１電波強度情報と、信号を発信した他の無線ＬＡＮ通信装置の識別子とを紐づけた情報である第２電波強度情報を生成し、生成した第２電波強度情報と、第２電波強度情報に含まれる第１電波強度情報との比較対象である参照電波強度情報とを比較し、比較結果に対応した表示内容を決定する制御部１４０と、制御部１４０が決定した表示内容を表示する表示部１５０とを備えるものである。【選択図】図１
2019110500.tif 000002
【特許請求の範囲】
【請求項１】
他の無線ＬＡＮ通信装置が発信する信号を受信し、受信した前記信号の電波強度を測定した第１電波強度情報を生成する信号処理部と、
前記第１電波強度情報と、前記信号を発信した前記他の無線ＬＡＮ通信装置の識別子とを紐づけた情報である第２電波強度情報を生成し、生成した前記第２電波強度情報と、前記第２電波強度情報に含まれる前記第１電波強度情報との比較対象である参照電波強度情報とを比較し、比較結果に対応した表示内容を決定する制御部と、
前記制御部が決定した前記表示内容を表示する表示部と、
を備える無線ＬＡＮ通信装置。
【請求項２】
前記信号処理部は、複数の他の無線ＬＡＮ通信装置が発信する信号をそれぞれ受信し、前記複数の他の無線ＬＡＮ通信装置ごとに、前記第１電波強度情報をそれぞれ生成し、
前記制御部は、前記複数の他の無線ＬＡＮ通信装置の前記識別子ごとに前記第１電波強度情報を紐づけた情報である前記第２電波強度情報を生成し、前記第２電波強度情報に含まれる複数の前記第１電波強度情報の内、最も強い電波強度に対応した前記第１電波強度情報と前記参照電波強度情報とを比較する、
請求項１に記載の無線ＬＡＮ通信装置。
【請求項３】
前記信号処理部は、前記他の無線ＬＡＮ通信装置が発信する前記信号を複数回受信し、前記複数回の信号に対応した複数の前記第１電波強度情報をそれぞれ生成し、
前記制御部は、前記識別子ごとに前記複数の前記第１電波強度情報を演算した値である第３電波強度情報を算出し、算出した第３電波強度情報の値と前記参照電波強度情報とを比較する、
請求項１又は２に記載の無線ＬＡＮ通信装置。
【請求項４】
前記信号処理部は、前記他の無線ＬＡＮ通信装置に要求信号を送信し、送信した前記要求信号に対する応答信号を、前記他の無線ＬＡＮ通信装置から受信し、受信した前記応答信号の電波強度に関する前記第１電波強度情報を生成する、
請求項１〜３のうちいずれか一項に記載の無線ＬＡＮ通信装置。
【請求項５】
前記参照電波強度情報は、前記他の無線ＬＡＮ通信装置との電波干渉が発生する可能性が予め設定された値より低いか否かを示す閾値を少なくとも１つ有し、
前記制御部は、前記第１電波強度情報と、前記参照電波強度情報とを比較し、前記第１電波強度情報が前記閾値より低い場合は、無線ＬＡＮ通信装置の設置を推奨する表示内容を表示することを決定する、
請求項１〜４のうちいずれか一項に記載の無線ＬＡＮ通信装置。
【請求項６】
他の無線ＬＡＮ通信装置が発信する信号を受信し、
受信した前記信号の電波強度を測定した第１電波強度情報を生成し、
前記第１電波強度情報と、前記信号を発信した前記他の無線ＬＡＮ通信装置の識別子とを紐づけた情報である第２電波強度情報を生成し、
生成した前記第２電波強度情報と、前記第２電波強度情報に含まれる前記第１電波強度情報との比較対象である参照電波強度情報とを比較し、
比較結果に対応した表示内容を決定し、
決定した前記表示内容を表示する、
電波強度表示方法。
【請求項７】
前記信号を受信する処理は、複数の他の無線ＬＡＮ通信装置が発信する信号をそれぞれ受信する処理であり、
前記第１電波強度情報を生成する処理は、前記複数の他の無線ＬＡＮ通信装置ごとに、前記第１電波強度情報をそれぞれ生成する処理であり、
前記第２電波強度情報を生成する処理は、前記複数の他の無線ＬＡＮ通信装置の前記識別子ごとに前記第１電波強度情報を紐づけた情報である前記第２電波強度情報を生成する処理であり、
前記比較する処理は、前記第２電波強度情報に含まれる複数の前記第１電波強度情報の内、最も強い電波強度に対応した前記第１電波強度情報と前記参照電波強度情報とを比較する処理である、
請求項６に記載の電波強度表示方法。
【請求項８】
前記信号を受信する処理は、前記他の無線ＬＡＮ通信装置が発信する前記信号を複数回受信する処理であり、
前記第１電波強度情報を生成する処理は、前記複数回の信号に対応した複数の前記第１電波強度情報をそれぞれ生成する処理であり、
前記比較する処理は、前記識別子ごとに前記複数の前記第１電波強度情報を演算した値である第３電波強度情報を算出し、算出した第３電波強度情報の値と前記参照電波強度情報とを比較する処理である、
請求項６又は７に記載の電波強度表示方法。
【請求項９】
予め設定された信号である要求信号を送信する処理をさらに備え、
前記信号を受信する処理は、送信した前記要求信号に対する応答信号を、前記他の無線ＬＡＮ通信装置から受信する処理であり、
前記第１電波強度情報を生成する処理は、受信した前記応答信号の電波強度に関する前記第１電波強度情報を生成する処理である、
請求項６〜８のうちいずれか一項に記載の電波強度表示方法。
【請求項１０】
前記参照電波強度情報は、前記他の無線ＬＡＮ通信装置との電波干渉が発生する可能性が予め設定された値より低いか否かを示す閾値を少なくとも１つ有し、
前記表示内容を決定する処理は、前記第１電波強度情報と、前記参照電波強度情報とを比較し、前記第１電波強度情報が前記閾値より低い場合は、無線ＬＡＮ通信装置の設置を推奨する表示内容を表示することを決定する処理である、
請求項６〜９のうちいずれか一項に記載の電波強度表示方法。
【発明の詳細な説明】
【技術分野】
【０００１】
本発明は無線ＬＡＮ通信装置及び電波強度表示方法に関する。
【背景技術】
【０００２】
所望の空間に複数の無線ＬＡＮ（Local Area Network）アクセスポイント（以下、アクセスポイントと称する）を設置して無線ＬＡＮシステムを構築する場合、所望の空間内において、端末が安定してアクセスポイントに接続できる状態を確保することが望まれる。かかる状態を確保するためには、複数のアクセスポイントを所望の空間内に好適に配置することが必要となる。アクセスポイントの好適な配置の第１の条件は、アクセスポイント同士の電波干渉を避けることである。また、アクセスポイントの好適な配置の第２の条件は、電波強度が所定の値より低いエリアをできる限り小さくすることである。
【０００３】
以下に、アクセスポイントの管理者が複数のアクセスポイントを配置する従来技術の例を示す。まず、管理者は、アクセスポイントを設置する建物や場所の図面である構造図や平面図を用意する。図１２は、従来技術により無線ＬＡＮシステムを構築したコンサートホール９００の平面図の例示である。管理者は、図面上のアクセスポイントを設置する箇所に、アクセスポイントを中心とした円を描く。図１２において、管理者は、アクセスポイント８１０を中心とした円７１０、アクセスポイント８１１を中心とした円７１１、及びアクセスポイント８２０を中心とした円７２０を描いている。円の半径は、アクセスポイントに対して端末が接続する場合に、端末が安定してアクセスポイントに接続できる範囲を示すものである。ここで、一の円の半径内に、他の円の中心が含まれると、電波干渉が発生する可能性がある。そのため、管理者は、一の円の半径内に、他の円の中心が含まれないように円を描く。また、管理者は、電波強度が所定の値より低いエリアをできる限り小さくするために、所望の空間内が円の内側に含まれるようにかかる円を配置する。また、管理者は、所望の空間内に間仕切りや壁等が設けられている場合には、これらによって電波が受ける影響を加味することが好ましい。ただし、このような場合、間仕切りや壁等の材質や厚みが電波に及ぼす影響を精度よく見積もることは困難である。そのため、実際の空間において電波強度を測定する技術が提案されている。
【０００４】
特許文献１には、電界強度調査システムが提案されている。かかるシステムは、モバイル端末上の測位機能および電界強度測定機能を使い、モバイルサービス利用者がモバイル端末の利用中に、そのバックグラウンドでそのモバイル端末を使って自動的に電界強度調査し、その情報データをセンタサーバに収集する。また、かかるシステムは、センタサーバに蓄積した電界強度調査結果を使用して、移動すべき方向の指針をモバイル端末の発光表示機能を使って利用者に示唆する。
【０００５】
特許文献２には、電波強度についての表示手段の表示制御を実行する制御手段を備える無線通信機器が提案されている。かかる無線通信機器は、記憶部を有する。記憶部は、電波強度をいずれの表示状態で表示させるかを決定するための複数の電波強度範囲を規定するテーブルでありアクセスポイントと他のアクセスポイントの電波干渉度合いが低い場合に使用される第１表示制御テーブルを記憶する。また、記憶部は、電波強度をいずれの表示状態で表示させるかを決定するための複数の電波強度範囲を規定するテーブルでありアクセスポイントと他のアクセスポイントの電波干渉度合いが高い場合に使用される第２表示制御テーブルを記憶する。そして、無線通信機器は、電波干渉度合いの所定の基準値に対する高低を判定し、判定結果に応じて第１表示制御テーブルおよび第２表示制御テーブルのいずれか一方の表示制御テーブルを選択する。さらに、無線通信機器は、選択した表示制御テーブルに基づいて、電波強度についての表示手段の表示制御を実行する制御手段を備える。
【先行技術文献】
【特許文献】
【０００６】
【特許文献１】特開２００８−２４１６６３号公報
【特許文献２】特開２０１６−０１０１３１号公報
【発明の概要】
【発明が解決しようとする課題】
【０００７】
しかしながら、特許文献１に記載の技術は、センタサーバに蓄積した電界強度調査結果を使用するシステムであり、構成が煩雑である。また、特許文献２に記載の技術は、電波干渉度合いに応じて表示制御を行うものであり、アクセスポイントの設置に最適な電波強度に対応していない。
【０００８】
本発明は、このような問題点を解決するためになされたものであり、簡便にアクセスポイントの設置場所を決定することができる無線ＬＡＮ通信装置及び電波強度表示方法を提供するものである。
【課題を解決するための手段】
【０００９】
本発明の第１の態様にかかる無線ＬＡＮ通信装置は、
他の無線ＬＡＮ通信装置が発信する信号を受信し、受信した前記信号の電波強度を測定した第１電波強度情報を生成する信号処理部と、
前記第１電波強度情報と、前記信号を発信した前記他の無線ＬＡＮ通信装置の識別子とを紐づけた情報である第２電波強度情報を生成し、生成した前記第２電波強度情報と、前記第２電波強度情報に含まれる前記第１電波強度情報との比較対象である参照電波強度情報とを比較し、比較結果に対応した表示内容を決定する制御部と、
前記制御部が決定した前記表示内容を表示する表示部と、を備えるものである。
【００１０】
本発明の第２の態様にかかる電波強度表示方法は、
他の無線ＬＡＮ通信装置が発信する信号を受信し、
受信した前記信号の電波強度を測定した第１電波強度情報を生成し、
前記第１電波強度情報と、前記信号を発信した前記他の無線ＬＡＮ通信装置の識別子とを紐づけた情報である第２電波強度情報を生成し、
生成した前記第２電波強度情報と、前記第２電波強度情報に含まれる前記第１電波強度情報との比較対象である参照電波強度情報とを比較し、
比較結果に対応した表示内容を決定し、
決定した前記表示内容を表示するものである。
【発明の効果】
【００１１】
本発明により、簡便にアクセスポイントの設置場所を決定することができる無線ＬＡＮ通信装置及び電波強度表示方法を提供することができる。
【図面の簡単な説明】
【００１２】
【図１】実施の形態１にかかる無線ＬＡＮ通信装置のブロック図である。
【図２】実施の形態１にかかる無線ＬＡＮ通信装置を設置する場所の平面図である。
【図３】実施の形態１にかかる無線ＬＡＮ通信装置が行う処理のフローチャートである。
【図４】実施の形態１にかかる第２電波強度情報を示した表である。
【図５】無線ＬＡＮ通信装置による表示色を決定する処理のフローチャートである。
【図６】実施の形態１にかかる無線ＬＡＮ通信装置を設置する場所の平面図である。
【図７】実施の形態２にかかる無線ＬＡＮ通信装置が行う処理のフローチャートである。
【図８】実施の形態３にかかる無線ＬＡＮ通信装置が行う処理のフローチャートである。
【図９】実施の形態４にかかる無線ＬＡＮ通信装置による表示色を決定する処理のフローチャートである。
【図１０】実施の形態４にかかる無線ＬＡＮ通信装置が表示する色を示す表である。
【図１１】実施の形態４にかかる無線ＬＡＮ通信装置を設置する場所の平面図である。
【図１２】従来技術により無線ＬＡＮシステムを構築したコンサートホール９００の平面図の例示である。
【発明を実施するための形態】
【００１３】
＜実施の形態１＞
以下、図面を参照して本発明の実施の形態について説明する。
【００１４】
まず、図１を参照しながら実施の形態にかかる端末装置について説明する。図１は、実施の形態１にかかる無線ＬＡＮ通信装置のブロック図である。なお、以下の説明及び図面において、複数の図面に共通する構成についてはそれぞれ共通の符号を付している。そのため、共通の符号を付した構成については適宜説明を省略する。
【００１５】
図１に示す無線ＬＡＮ通信装置１００は、無線ＬＡＮシステムを構築するためのアクセスポイントである。無線ＬＡＮシステムは、無線通信を利用してデータの送受信を行うＬＡＮシステムのことである。実施の形態１にかかる無線ＬＡＮ通信装置１００は、複数のアクセスポイントにより、一の無線ＬＡＮシステムを構築することが出来る。複数のアクセスポイントにより構築された無線ＬＡＮシステムに接続する通信端末は、無線ＬＡＮシステムによって接続することが出来るエリア内において、無線ＬＡＮのチャンネルを適宜変更し、安定して通信できるアクセスポイントに接続する。
【００１６】
無線ＬＡＮ通信装置１００は、アンテナ１１０、信号処理部１２０、記憶部１３０、制御部１４０、表示部１５０、及び有線ＬＡＮ送受信部１６０を主な構成として備えている。
【００１７】
アンテナ１１０は、端末装置と無線通信を行うために電波を送受信する。アンテナは１つであっても複数であってもよい。
【００１８】
信号処理部１２０は、制御部１４０の指示を受けて、アンテナ１１０を介して端末装置等に信号を送信し、又は、端末装置等から信号を受信する無線通信用の半導体である。信号処理部１２０は、制御部１４０の指示を受けて、受信した信号を制御部１４０に出力する。また、信号処理部１２０は、他のアクセスポイントが発信する信号を受信し、受信した信号の電波強度を測定した第１電波強度情報を生成する。信号処理部１２０は、１個の半導体チップであってもよいし、ディスクリートにより構成されてもよい。また、無線ＬＡＮ通信装置１００内は、複数の信号処理部１２０を有していてもよい。
【００１９】
制御部１４０は、信号処理部１２０、記憶部１３０、表示部１５０、及び有線ＬＡＮ送受信部１６０に接続し、各部の動作を適宜制御する。
【００２０】
信号処理部１２０とのやりとりにおいて、制御部１４０は、信号処理部１２０に対して信号を送信することを指示し、又は、信号を受信することを指示する。また、制御部１４０は、信号処理部１２０から第１電波強度情報を受け取る。さらに、制御部１４０は受け取った第１電波強度情報と、かかる信号を発信した他のアクセスポイントの識別子とを紐づけた情報である第２電波強度情報を生成する。
【００２１】
記憶部１３０とのやりとりにおいて、制御部１４０は、生成した第２電波強度情報を、記憶部１３０に記憶させる。また、制御部１４０は、記憶部１３０に記憶した第２電波強度情報と、参照電波強度情報とをそれぞれ読み取る。そして、読み取った第２電波強度情報と、参照電波強度情報とを比較し、比較結果に対応した表示内容を決定する。
【００２２】
表示部１５０とのやりとりにおいて、制御部１４０は、比較結果に対応して決定した表示内容を表示することを表示部１５０に指示する。
【００２３】
有線ＬＡＮ送受信部１６０とのやりとりにおいて、制御部１４０は、有線ＬＡＮ送受信部１６０から受け取った信号を、信号処理部１２０に出力する。また、制御部１４０は、信号処理部１２０から受け取った信号を、有線ＬＡＮ送受信部１６０に出力する。
【００２４】
記憶部１３０は、制御部１４０に接続し、制御部１４０が出力する情報を一時的に記憶するものである。記憶部１３０は、制御部１４０が出力した第２電波強度情報を記憶する。
【００２５】
第２電波強度情報とは、周囲に配置されたアクセスポイントから受信した信号の電波強度と、かかる信号を発信したアクセスポイントの識別子とを紐づけた情報である。電波強度は、例えば、ＲＳＳＩ（Received Signal Strength Indicator）であってもよいし、ＳＮＲ（Signal to Noise Ratio）であってもよい。また、アクセスポイントの識別子は、例えばＢＳＳＩＤ（Basic Service Set Identifier）又はＭＡＣアドレス（Media Access Control address）である。なお、ＢＳＳＩＤは、アクセスポイントが有する固有の識別信号であり、ＭＡＣアドレスに等しい。また、第２電波強度情報として登録される電波強度は、一のアクセスポイントから受信した信号に対する電波強度を予め設定された回数分記憶し、記憶した電波強度を演算することにより算出してもよい。かかる演算は、例えば、平均値である。また、かかる演算は、標準偏差であってもよい。
【００２６】
記憶部１３０は、さらに、予め設定された参照電波強度情報を記憶する。参照電波強度情報は、第２電波強度情報に含まれる電波強度に関する情報との比較対象である。例えば、参照電波強度情報は、他のアクセスポイントとの電波干渉が発生する可能性が予め設定された値より低いか否かを示す閾値を少なくとも１つ有する。また、参照電波強度情報は、このような閾値を２つ以上有していてもよい。
【００２７】
記憶部１３０は、例えば、ＤＲＡＭ（Dynamic Random Access Memory）やＳＤＲＡＭ（Synchronous Dynamic Random Access Memory）のような揮発性のメモリであってもよいし、フラッシュメモリやＥＰＲＯＭ（Erasable Programmable Read Only Memory）のような不揮発性のメモリであってもよい。また、記憶部１３０は、上述のメモリを組み合わせて構成されてもよい。
【００２８】
表示部１５０は、制御部１４０から指示を受けて、制御部１４０が決定した表示内容を表示する。表示部１５０は、例えば複数の色を表示するＬＥＤである。
【００２９】
有線ＬＡＮ送受信部１６０は、制御部１４０の指示に応じて、有線ＬＡＮ通信を行う。有線ＬＡＮ送受信部１６０は、例えば、ＰＨＹチップ（Physical Layer Chip）やイーサネット（登録商標）コネクタ等により構成される。
【００３０】
なお、上述した各構成要素の機能は、それぞれが単体で各機能を司ってもよいし、複数の構成要素に跨っていてもよい。また、例えば、第２電波強度情報は、信号処理部１２０が生成し、信号処理部１２０が生成した第２電波強度情報を、制御部１４０が受け取ってもよい。
【００３１】
次に、図２〜図６を参照しながら、無線ＬＡＮ通信装置１００を用いた無線ＬＡＮシステムの構築方法について説明する。図２は、実施の形態１にかかる無線ＬＡＮ通信装置を設置する場所の平面図である。図２に例示した場所は、コンサートホールであり、アクセスポイントを複数用いることにより無線ＬＡＮシステムを実現することが出来る。
【００３２】
図２に示したコンサートホール９００は、ロビー９１０、小ホール９２０、及び大ホール９３０を有している。ロビー９１０には、アクセスポイント８１０及びアクセスポイント８１１が設置されている。また、小ホール９２０には、アクセスポイント８２０が設置されている。ロビー９１０と小ホール９２０との間は、例えば、鉄筋コンクリートの壁により仕切られている。同様に、小ホール９２０と大ホール９３０との間は、例えば、鉄筋コンクリートの壁により仕切られている。また、ロビー９１０と大ホール９３０との間は、例えばガラスの壁により仕切られている。
【００３３】
図２に示したコンサートホール９００において、無線ＬＡＮシステムを管理する管理者は、大ホール９３０にアクセスポイントを新たに設置する。このような場合、管理者は、大ホール９３０のどこにアクセスポイントを設置するかを、無線ＬＡＮ通信装置１００を用いて決定する。
【００３４】
図３を参照しながら、無線ＬＡＮ通信装置１００が行う処理のうち、第２電波強度情報を生成する処理について説明する。図３は、実施の形態１にかかる無線ＬＡＮ通信装置が行う処理のフローチャートである。
【００３５】
かかる処理は、無線ＬＡＮ通信装置１００の起動に伴って開始されてもよいし、無線ＬＡＮ通信装置１００に、かかる処理を開始するためのボタンを備え、これを押下されることにより開始されてもよい。あるいは、外部からかかる処理を開始するためのコマンドを受けることにより開始されてもよい。
【００３６】
かかる処理が開始すると、まず、無線ＬＡＮ通信装置１００は、信号処理部１２０を受信状態に設定する（ステップＳ１１）。信号処理部１２０は、予め設定された手順によりチャネルを自動スキャンして信号を受信する。受信する信号は、例えば、ＩＥＥＥ（The Institute of Electrical and Electronics Engineers, Inc.）が定める規格ＩＥＥＥ８０２．１１に準拠した周波数におけるビーコン信号である。
【００３７】
次に、受信状態となった無線ＬＡＮ通信装置１００は、所定のビーコン信号を受信する（ステップＳ１２）。無線ＬＡＮ通信装置１００が受信したビーコン信号には、ＢＳＳＩＤが含まれる。無線ＬＡＮ通信装置１００は、ＢＳＳＩＤが含まれるビーコン信号を受信すると、受信したビーコン信号のＢＳＳＩＤを読み取る。
【００３８】
次に、無線ＬＡＮ通信装置１００は、読み取ったＢＳＳＩＤが既に登録済みであるかどうかを判定する（ステップＳ１３）。具体的には、無線ＬＡＮ通信装置１００は、記憶部１３０に記憶する第２電波強度情報と、読み取ったＢＳＳＩＤとを比較し、読み取ったＢＳＳＩＤが第２電波強度情報に含まれるか否かを判定する。
【００３９】
読み取ったＢＳＳＩＤが既に登録済みである場合（ステップＳ１３：Ｙｅｓ）、制御部１４０は、読み取ったＢＳＳＩＤに対応するビーコン信号の第２電波強度情報を登録する（ステップＳ１５）。
【００４０】
一方、読み取ったＢＳＳＩＤが登録済みではない場合（ステップＳ１３：Ｎｏ）、制御部１４０は、読み取ったＢＳＳＩＤを登録する（ステップＳ１４）。そして、制御部１４０は、読み取ったＢＳＳＩＤに対応するビーコン信号の第２電波強度情報を登録する（ステップＳ１５）。
【００４１】
ここで、図４を参照しながら、第２電波強度情報について詳細を説明する。図４は、実施の形態１にかかる第２電波強度情報を示した表である。図４の表において、左の列はＢＳＳＩＤを示している。また、ＢＳＳＩＤの隣の列は、受信した信号の電波強度すなわち第１電波強度情報を示している。図４の表に例示した第１電波強度情報は、ＲＳＳＩである。また、無線ＬＡＮ通信装置１００は、ＲＳＳＩを複数記憶し得る。図４の表の例においては、無線ＬＡＮ通信装置１００は、ＲＳＳＩをｎ回分記憶する。無線ＬＡＮ通信装置１００がｎ回分のＲＳＳＩを記憶した後に、さらに信号を受信してＲＳＳＩを生成した場合、登録されているＲＳＳＩの内もっとも古いＲＳＳＩを、新たに生成したＲＳＳＩに置き換える。また、図４の表において、右の列は、ＲＳＳＩの平均値である第３電波強度情報を示している。なお、ＲＳＳＩの記憶は、上述したように複数回であってもよいし、１回であってもよい。
【００４２】
つまり、第２電波強度情報は、アクセスポイントの識別子であるＢＳＳＩＤと、かかるＢＳＳＩＤに対応したＲＳＳＩ１〜ＲＳＳＩｎと、ＲＳＳＩ１〜ＲＳＳＩｎに対応した平均電波強度とが、それぞれ紐づけられている。そして、複数のアクセスポイントから信号を受信した場合、複数のアクセスポイントごとに、ＲＳＳＩ１〜ＲＳＳＩｎと平均電波強度とが紐づけられている。
【００４３】
図４に示した例に則って説明すると、第２電波強度情報は、アクセスポイントがＩＤ１からＩＤｘまで登録されている。また、例えば、ＩＤ１のクライアントから受信した信号の電波強度は、ＲＳＳＩ１が７５であり、ＲＳＳＩ２が７７であり、ＲＳＳＩｎが７６である。そして、ＲＳＳＩ１からＲＳＳＩｎまでの電波強度を平均した第３電波強度情報は、７６である。すなわち、ＩＤｘのクライアントの第３電波強度情報は、Ｍ（ＩＤｘ）である。
【００４４】
図３に戻り、フローチャートの説明を続ける。ステップＳ１５において第２電波強度情報を登録すると、次に、無線ＬＡＮ通信装置１００は、送信状態に移行する（ステップＳ１６）。
【００４５】
送信状態に移行した無線ＬＡＮ通信装置１００は、次に、パケット信号を受信したＢＳＳＩＤに対応するアクセスポイントに対して、要求パケットを送信する（ステップＳ１７）。要求パケットとは、予め設定されたプローブ要求信号である。
【００４６】
要求パケットを受信したアクセスポイントは、受信した要求パケットに対する応答パケットを送信する。応答パケットは、プローブ要求信号に対応したプローブ応答信号である。無線ＬＡＮ通信装置１００は、要求パケットの送信を終えると、アクセスポイントから送信される応答パケットを受信するため、受信状態に移行する（ステップＳ１８）。
【００４７】
次に、無線ＬＡＮ通信装置１００は、受信状態において、予め設定された時間内に応答パケットを受信したか否かを判定する（ステップＳ１９）。予め設定された時間内に応答パケットを受信した場合（ステップＳ１９：Ｙｅｓ）、無線ＬＡＮ通信装置１００は、受信した信号から電波強度である第１電波強度情報を生成し、第２電波強度情報に登録する（ステップＳ２１）。
【００４８】
一方、予め設定された時間内に応答パケットを受信しなかった場合（ステップＳ１９：Ｎｏ）、要求信号を送信したアクセスポイントとの間は、互いに安定して接続する程度の電波強度ではないことを意味する。そこで、無線ＬＡＮ通信装置１００は、かかる受信を期待していた応答パケットに対応するＢＳＳＩＤ及び対応する第１電波強度情報を、第２電波強度情報から削除する（ステップＳ２０）。
【００４９】
次に、無線ＬＡＮ通信装置１００は、受信した応答パケットに対する第２電波強度情報を全て登録したか否かを判定する（ステップＳ２２）。受信した応答パケットに対する第２電波強度情報を全て登録していないと判定した場合（ステップＳ２２：Ｎｏ）、無線ＬＡＮ通信装置１００は、ステップＳ１９に戻り、予め設定された時間内に応答パケットを受信したか否かを判定する。一方、受信した応答パケットに対する第２電波強度情報を全て登録した判定した場合（ステップＳ２２：Ｙｅｓ）、無線ＬＡＮ通信装置１００は、他のチャネルにおける第２電波強度情報を生成するため、受信チャネルを切り替える（ステップＳ２３）。受信チャネルを切り替えると、無線ＬＡＮ通信装置１００は、ステップＳ１２に戻り、切り替えたチャネルにおけるビーコン信号を受信する。
【００５０】
次に、図５を参照しながら、表示部１５０の制御処理について説明する。無線ＬＡＮ通信装置１００は、図３を参照しながら説明した処理により生成した第２電波強度情報から、表示部１５０の表示色を決定する。図５は、無線ＬＡＮ通信装置による表示色を決定する処理のフローチャートである。
【００５１】
まず、制御部１４０は、記憶部１３０から第２電波強度情報を読み取る（ステップＳ３０）。次に、制御部１４０は、読み取った第２電波強度情報の内、最も強い平均電波強度（第３電波強度情報）に対応するＢＳＳＩＤを選定する（ステップＳ３１）。
【００５２】
次に、制御部１４０は、選定したＢＳＳＩＤの第３電波強度情報が参照電波強度情報の有する閾値ＴＨ１より小さいか否かを判定する（ステップＳ３２）。
【００５３】
選定したＢＳＳＩＤの第３電波強度情報が参照電波強度情報の有する閾値ＴＨ１より小さい場合（ステップＳ３２：Ｙｅｓ）、無線ＬＡＮ通信装置１００が現在置かれている場所は、他のアクセスポイントとの電波干渉が発生する可能性が予め設定された値より低い。そこで、制御部１４０は、表示部１５０に色１を表示することを決定する（ステップＳ３３）。色１は、無線ＬＡＮ通信装置１００の設置を推奨することを示すものである。
【００５４】
一方、選定したＢＳＳＩＤの第３電波強度情報が参照電波強度情報の有する閾値ＴＨ１より小さくない場合（ステップＳ３２：Ｎｏ）、無線ＬＡＮ通信装置１００が現在置かれている場所は、他のアクセスポイントとの電波干渉が発生する可能性が予め設定された値より高い。そこで、制御部１４０は、表示部１５０に色２を表示することを決定する（ステップＳ３４）。色２は、無線ＬＡＮ通信装置１００の設置を推奨しないことを示すものである。
【００５５】
次に、図６を参照しながら、無線ＬＡＮ通信装置１００の推奨設置エリアについて説明する。図６は、実施の形態１にかかる無線ＬＡＮ通信装置を設置する場所の平面図である。図６において破線のハッチングパタンにより示しているのは、無線ＬＡＮ通信装置１００の推奨設置エリア６００である。推奨設置エリア６００は、無線ＬＡＮ通信装置１００を移動させると共に、移動させたそれぞれの場所において表示部１５０が色１を表示していたエリアを集計したものである。図６に示したコンサートホール９００において、大ホール９３０に新たに設置するアクセスポイントは、推奨設置エリア６００内の任意の位置でよい。
【００５６】
このように、実施の形態１は、簡便にアクセスポイントの設置場所を決定することができる無線ＬＡＮ通信装置及び電波強度表示方法を提供することができる。
【００５７】
＜実施の形態２＞
次に、図７を参照しながら、実施の形態２について説明する。実施の形態２にかかる無線ＬＡＮ通信装置は、ハードウェアの構成としては、実施の形態１にかかる無線ＬＡＮ通信装置１００と同様である。実施の形態２にかかる無線ＬＡＮ通信装置は、第２電波強度情報を生成する際の処理が、実施の形態１にかかる無線ＬＡＮ通信装置１００と異なる。
【００５８】
図７は、実施の形態２にかかる無線ＬＡＮ通信装置が行う処理のフローチャートである。実施の形態２にかかる無線ＬＡＮ通信装置は、第２電波強度情報を生成するにあたり、アクセスポイントに対して要求信号を送信しない。すなわち、実施の形態２にかかる無線ＬＡＮ通信装置は、ビーコン信号から電波強度を生成する。より具体的には、図７に示すフローチャートは、図３に示したフローチャートのステップＳ１６からステップＳ２２を省略する。つまり、実施の形態２にかかる無線ＬＡＮ通信装置は、受信したビーコン信号に対応する第２電波強度情報を登録すると（ステップＳ１５）、チャネルを切り替える（ステップＳ２３）。そして、チャネルを切り替えた後に、実施の形態２にかかる無線ＬＡＮ通信装置は、再びステップＳ１２に戻り、切り替えたチャネルにおいてビーコン信号の受信を行う。
【００５９】
このように、ルーチンを簡素化することにより、実施の形態２は、短時間に第２電波強度情報を生成し、簡便にアクセスポイントの設置場所を決定することができる無線ＬＡＮ通信装置及び電波強度表示方法を提供することができる。
【００６０】
＜実施の形態３＞
次に、図８を参照しながら、実施の形態３について説明する。実施の形態３にかかる無線ＬＡＮ通信装置は、ハードウェアの構成としては、実施の形態１にかかる無線ＬＡＮ通信装置１００と同様である。実施の形態３にかかる無線ＬＡＮ通信装置は、第２電波強度情報を生成する際の処理が、実施の形態１にかかる無線ＬＡＮ通信装置１００と異なる。また、実施の形態３にかかる無線ＬＡＮ通信装置は、受信するチャネルが予め設定されたものである点において、実施の形態１及び実施の形態２と異なる。
【００６１】
図８は、実施の形態３にかかる無線ＬＡＮ通信装置が行う処理のフローチャートである。実施の形態３にかかる無線ＬＡＮ通信装置は、受信するチャネルを予め設定されたし、設定されたチャネルについてのみ、第２電波強度情報を生成する。つまり、実施の形態３にかかる無線ＬＡＮ通信装置が行う処理を開始すると、無線ＬＡＮ通信装置は、受信チャネルを設定する（ステップＳ１０）。設定する受信チャネルは、固定されたものであってもよいし、かかる処理を開始する前に管理者が設定したものであってもよい。受信チャネルが設定されると、実施の形態３にかかる無線ＬＡＮ通信装置は、設定されたチャネルのビーコン信号を受信するために、受信状態となる（ステップＳ１１）。以降、ステップＳ１１からステップＳ１４までの処理は、実施の形態１と同様である。
【００６２】
実施の形態３にかかる無線ＬＡＮ通信装置は、第２電波強度情報を生成するにあたり、アクセスポイントに対して要求信号を送信しない。すなわち、実施の形態３にかかる無線ＬＡＮ通信装置は、ビーコン信号から電波強度を生成する。実施の形態３にかかる無線ＬＡＮ通信装置は、受信したビーコン信号に対応する第２電波強度情報を登録すると（ステップＳ１５）、ステップＳ１２に戻り、再び同じチャネルのビーコン信号を受信する。
【００６３】
このような構成にすることにより、実施の形態３は、例えば、５ＧＨｚ帯のように、隣接チャネルが干渉しづらい場合に、短時間に第２電波強度情報を生成し、簡便にアクセスポイントの設置場所を決定することができる無線ＬＡＮ通信装置及び電波強度表示方法を提供することができる。
【００６４】
＜実施の形態４＞
次に、図９〜１１を参照しながら、実施の形態４について説明する。実施の形態４にかかる無線ＬＡＮ通信装置は、第３電波強度情報と比較する閾値を複数有している点において、実施の形態１にかかる無線ＬＡＮ通信装置１００と異なる。また、実施の形態４にかかる無線ＬＡＮ通信装置は、表示部１５０が有する色を３つ有している点においても、実施の形態１にかかる無線ＬＡＮ通信装置１００と異なる。
【００６５】
図９は、実施の形態４にかかる無線ＬＡＮ通信装置による表示色を決定する処理のフローチャートである。まず、制御部１４０は、記憶部１３０から第２電波強度情報を読み取る（ステップＳ４０）。次に、制御部１４０は、読み取った第２電波強度情報の内、もっとも強い第３電波強度情報に対応するＢＳＳＩＤを選定する（ステップＳ４１）。
【００６６】
次に、制御部１４０は、選定したＢＳＳＩＤの第３電波強度情報と、参照電波強度情報が有する複数の閾値とを比較する（ステップＳ４２）。
【００６７】
ここで、図１０を参照しながら、第３電波強度情報と参照電波強度情報と比較した結果と、かかる結果に対応した表示色との関係について説明する。図１０は、実施の形態４にかかる無線ＬＡＮ通信装置が表示する色を示す表である。図１０において、左の列はパタンを示している。中央の列は、第３電波強度情報と参照電波強度情報との比較結果を示している。右の列は、表示色を示している。
【００６８】
パタンＰ１の場合、第３電波強度情報は５０より大きい。この場合、表示色は色１（赤）である。パタンＰ２の場合、第３電波強度情報は３０より大きく、且つ５０以下である。この場合、表示色は色２（橙）である。パタンＰ３の場合、第３電波強度情報は３０以下である。この場合、表示色は色３（緑）である。実施の形態４にかかる無線ＬＡＮ通信装置は、図１０に示した表に基づいて、表示色を決定する。
【００６９】
図１０の例示において、色１は、他のアクセスポイントとの電波干渉が発生し、端末が安定してアクセスポイントに接続することができないことを示している。また、色２は、他のアクセスポイントとの電波干渉が発生する可能性があり、端末とアクセスポイントとの通信において、所望のスループットが出せない可能性があることを示している。色３は、他のアクセスポイントとの電波干渉が発生する可能性が予め設定された値より低く、無線ＬＡＮ通信装置１００の設置を推奨することを示すものである。
【００７０】
図９に戻り説明を続ける。ステップＳ４２において、第３電波強度情報と参照電波強度情報とを比較した結果、図１０のパタンＰ１に該当すると判定した場合（ステップＳ４２：パタンＰ１）、制御部１４０は、表示部１５０に色１を表示することを決定する（ステップＳ４３）。同様に、図１０のパタンＰ２に該当すると判定した場合（ステップＳ４２：パタンＰ２）、制御部１４０は、表示部１５０に色２を表示することを決定する（ステップＳ４４）。同様に、図１０のパタンＰ３に該当すると判定した場合（ステップＳ４２：パタンＰ３）、制御部１４０は、表示部１５０に色３を表示することを決定する（ステップＳ４５）。
【００７１】
図１１は、実施の形態４にかかる無線ＬＡＮ通信装置を設置する場所の平面図である。図１１において、破線のハッチングにより示しているのは、実施の形態４にかかる無線ＬＡＮ通信装置の推奨設置エリア６００である。推奨設置エリア６００において、実施の形態４にかかる無線ＬＡＮ通信装置は、色３を表示する。また、エリア５００において、実施の形態４にかかる無線ＬＡＮ通信装置は、色２を表示する。さらに、エリア４１０、４１１、及び４２０において、実施の形態４にかかる無線ＬＡＮ通信装置は、色１を表示する。
【００７２】
このように、複数の色により、電波干渉の程度を示すことにより、実施の形態４は、簡便にアクセスポイントの設置場所を提示することができる。
【００７３】
なお、本発明は上記実施の形態に限られたものではなく、趣旨を逸脱しない範囲で適宜変更することが可能である。例えば、表示部が表示する内容は、色ではなく、単色の表示を明滅させる頻度などによることもできる。また、表示部の色は上述したような２色又は３色に限らず、４色以上であってもよい。それに伴い、参照電波強度情報が有する閾値は３つ以上であってもよい。あるいは、表示部はＬＥＤでなく、ＬＣＤなどにより、文字情報などを表示してもよい。
【００７４】
上記実施の形態の一部または全部は、以下の付記のようにも記載され得るが、以下には限られない
【００７５】
（付記１）
他の無線ＬＡＮ通信装置が発信する信号を受信し、受信した前記信号の電波強度を測定した第１電波強度情報を生成する信号処理部と、
前記第１電波強度情報と、前記信号を発信した前記他の無線ＬＡＮ通信装置の識別子とを紐づけた情報である第２電波強度情報を生成し、生成した前記第２電波強度情報と、前記第２電波強度情報に含まれる前記第１電波強度情報との比較対象である参照電波強度情報とを比較し、比較結果に対応した表示内容を決定する制御部と、
前記制御部が決定した前記表示内容を表示する表示部と、
を備える無線ＬＡＮ通信装置。
【００７６】
（付記２）
前記信号処理部は、複数の他の無線ＬＡＮ通信装置が発信する信号をそれぞれ受信し、前記複数の他の無線ＬＡＮ通信装置ごとに、前記第１電波強度情報をそれぞれ生成し、
前記制御部は、前記複数の他の無線ＬＡＮ通信装置の前記識別子ごとに前記第１電波強度情報を紐づけた情報である前記第２電波強度情報を生成し、前記第２電波強度情報に含まれる複数の前記第１電波強度情報の内、最も強い電波強度に対応した前記第１電波強度情報と前記参照電波強度情報とを比較する、
付記１に記載の無線ＬＡＮ通信装置。
【００７７】
（付記３）
前記信号処理部は、前記他の無線ＬＡＮ通信装置が発信する前記信号を複数回受信し、前記複数回の信号に対応した複数の前記第１電波強度情報をそれぞれ生成し、
前記制御部は、前記識別子ごとに前記複数の前記第１電波強度情報を演算した値である第３電波強度情報を算出し、算出した第３電波強度情報の値と前記参照電波強度情報とを比較する、
付記１又は２に記載の無線ＬＡＮ通信装置。
【００７８】
（付記４）
前記信号処理部は、前記他の無線ＬＡＮ通信装置に要求信号を送信し、送信した前記要求信号に対する応答信号を、前記他の無線ＬＡＮ通信装置から受信し、受信した前記応答信号の電波強度に関する前記第１電波強度情報を生成する、
付記１〜３のうちいずれか一項に記載の無線ＬＡＮ通信装置。
【００７９】
（付記５）
前記参照電波強度情報は、前記他の無線ＬＡＮ通信装置との電波干渉が発生する可能性が予め設定された値より低いか否かを示す閾値を少なくとも１つ有し、
前記制御部は、前記第１電波強度情報と、前記参照電波強度情報とを比較し、前記第１電波強度情報が前記閾値より低い場合は、無線ＬＡＮ通信装置の設置を推奨する表示内容を表示することを決定する、
付記１〜４のうちいずれか一項に記載の無線ＬＡＮ通信装置。
【００８０】
（付記６）
他の無線ＬＡＮ通信装置が発信する信号を受信し、
受信した前記信号の電波強度を測定した第１電波強度情報を生成し、
前記第１電波強度情報と、前記信号を発信した前記他の無線ＬＡＮ通信装置の識別子とを紐づけた情報である第２電波強度情報を生成し、
生成した前記第２電波強度情報と、前記第２電波強度情報に含まれる前記第１電波強度情報との比較対象である参照電波強度情報とを比較し、
比較結果に対応した表示内容を決定し、
決定した前記表示内容を表示する、
電波強度表示方法。
【００８１】
（付記７）
前記信号を受信する処理は、複数の他の無線ＬＡＮ通信装置が発信する信号をそれぞれ受信する処理であり、
前記第１電波強度情報を生成する処理は、前記複数の他の無線ＬＡＮ通信装置ごとに、前記第１電波強度情報をそれぞれ生成する処理であり、
前記第２電波強度情報を生成する処理は、前記複数の他の無線ＬＡＮ通信装置の前記識別子ごとに前記第１電波強度情報を紐づけた情報である前記第２電波強度情報を生成する処理であり、
前記比較する処理は、前記第２電波強度情報に含まれる複数の前記第１電波強度情報の内、最も強い電波強度に対応した前記第１電波強度情報と前記参照電波強度情報とを比較する処理である、
付記６に記載の電波強度表示方法。
【００８２】
（付記８）
前記信号を受信する処理は、前記他の無線ＬＡＮ通信装置が発信する前記信号を複数回受信する処理であり、
前記第１電波強度情報を生成する処理は、前記複数回の信号に対応した複数の前記第１電波強度情報をそれぞれ生成する処理であり、
前記比較する処理は、前記識別子ごとに前記複数の前記第１電波強度情報を演算した値である第３電波強度情報を算出し、算出した第３電波強度情報の値と前記参照電波強度情報とを比較する処理である、
付記６又は７に記載の電波強度表示方法。
【００８３】
（付記９）
予め設定された信号である要求信号を送信する処理をさらに備え、
前記信号を受信する処理は、送信した前記要求信号に対する応答信号を、前記他の無線ＬＡＮ通信装置から受信する処理であり、
前記第１電波強度情報を生成する処理は、受信した前記応答信号の電波強度に関する前記第１電波強度情報を生成する処理である、
付記６〜８のうちいずれか一項に記載の電波強度表示方法。
【００８４】
（付記１０）
前記参照電波強度情報は、前記他の無線ＬＡＮ通信装置との電波干渉が発生する可能性が予め設定された値より低いか否かを示す閾値を少なくとも１つ有し、
前記表示内容を決定する処理は、前記第１電波強度情報と、前記参照電波強度情報とを比較し、前記第１電波強度情報が前記閾値より低い場合は、無線ＬＡＮ通信装置の設置を推奨する表示内容を表示することを決定する処理である、
付記６〜９のうちいずれか一項に記載の電波強度表示方法。
【００８５】
（付記１１）
コンピュータに以下の方法を実行させるためのプログラムであって、
前記方法は、
他の無線ＬＡＮ通信装置が発信する信号を受信し、
受信した前記信号の電波強度を測定した第１電波強度情報を生成し、
前記第１電波強度情報と、前記信号を発信した前記他の無線ＬＡＮ通信装置の識別子とを紐づけた情報である第２電波強度情報を生成し、
生成した前記第２電波強度情報と、前記第２電波強度情報に含まれる前記第１電波強度情報との比較対象である参照電波強度情報とを比較し、
比較結果に対応した表示内容を決定し、
決定した前記表示内容を表示することを含む、
電波強度表示プログラム。
【００８６】
（付記１２）
前記信号を受信する処理は、複数の他の無線ＬＡＮ通信装置が発信する信号をそれぞれ受信する処理であり、
前記第１電波強度情報を生成する処理は、前記複数の他の無線ＬＡＮ通信装置ごとに、前記第１電波強度情報をそれぞれ生成する処理であり、
前記第２電波強度情報を生成する処理は、前記複数の他の無線ＬＡＮ通信装置の前記識別子ごとに前記第１電波強度情報を紐づけた情報である前記第２電波強度情報を生成する処理であり、
前記比較する処理は、前記第２電波強度情報に含まれる複数の前記第１電波強度情報の内、最も強い電波強度に対応した前記第１電波強度情報と前記参照電波強度情報とを比較する処理である、
付記１１に記載の電波強度表示プログラム。
【００８７】
（付記１３）
前記信号を受信する処理は、前記他の無線ＬＡＮ通信装置が発信する前記信号を複数回受信する処理であり、
前記第１電波強度情報を生成する処理は、前記複数回の信号に対応した複数の前記第１電波強度情報をそれぞれ生成する処理であり、
前記比較する処理は、前記識別子ごとに前記複数の前記第１電波強度情報を演算した値である第３電波強度情報を算出し、算出した第３電波強度情報の値と前記参照電波強度情報とを比較する処理である、
付記１１又は１２に記載の電波強度表示プログラム。
【００８８】
（付記１４）
予め設定された信号である要求信号を送信する処理をさらに備え、
前記信号を受信する処理は、送信した前記要求信号に対する応答信号を、前記他の無線ＬＡＮ通信装置から受信する処理であり、
前記第１電波強度情報を生成する処理は、受信した前記応答信号の電波強度に関する前記第１電波強度情報を生成する処理である、
付記１１〜１３のうちいずれか一項に記載の電波強度表示プログラム。
【００８９】
（付記１５）
前記参照電波強度情報は、前記他の無線ＬＡＮ通信装置との電波干渉が発生する可能性が予め設定された値より低いか否かを示す閾値を少なくとも１つ有し、
前記表示内容を決定する処理は、前記第１電波強度情報と、前記参照電波強度情報とを比較し、前記第１電波強度情報が前記閾値より低い場合は、無線ＬＡＮ通信装置の設置を推奨する表示内容を表示することを決定する処理である、
付記１１〜１４のうちいずれか一項に記載の電波強度表示プログラム。
【符号の説明】
【００９０】
１００  通信装置
１１０  アンテナ
１２０  信号処理部
１３０  記憶部
１４０  制御部
１５０  表示部
１６０  送受信部
６００  推奨設置エリア
８１０、８１１、８２０  アクセスポイント
９００  コンサートホール
９１０  ロビー
９２０  小ホール
９３０  大ホール
【図１】
2019110500.tif 000003
【図２】
2019110500.tif 000004
【図３】
2019110500.tif 000005
【図４】
2019110500.tif 000006
【図５】
2019110500.tif 000007
【図６】
2019110500.tif 000008
【図７】
2019110500.tif 000009
【図８】
2019110500.tif 000010
【図９】
2019110500.tif 000011
【図１０】
2019110500.tif 000012
【図１１】
2019110500.tif 000013
【図１２】
2019110500.tif 000014